(57)【要約】【課題】 別途の光ケーブル又は同軸ケーブルを増設することなく、既設されたＵＴＰケーブルインターネット網をそのまま用いながら、インターネットサービスと移動通信サービスとを同時提供できるＵＴＰケーブルを使用するインターネット網を用いた移動通信サービスシステムを提供する。【解決手段】本発明によれば、建物内に設けられ、外部インターネット装備からＵＴＰケーブルを介して入力されるインターネット信号を複数の分配ポートに分配提供するスイッチングハブを含む、ＵＴＰケーブルに連結されたインターネット網を用いた移動通信システムにおいて、スイッチングハブの各分配ポートに対応して、ＵＴＰケーブルで連結される複数の入力ポートを有し、外部移動通信基地局に無線連結され、スイッチングハブの各分配ポートから転送された個別のインターネット信号及び移動通信基地局から無線転送された移動通信信号を相互結合して、入力ポートに対応する複数の出力ポートを介して各々の結合信号を転送するメインユニットと;メインユニットの１出力ポートに対応して、ＵＴＰケーブルで連結される単一入力ポートを有し、メインユニットの１出力ポートから転送された結合信号をインターネット信号と移動通信信号とに各々分離し、インターネット信号は、単一入力ポートに対応する単一出力ポートを介して、ＰＣ端末機又は複数のＰＣ端末機に連結された補助スイッチングハブに転送し、移動通信信号は、外部移動通信端末機に無線転送する複数個の補助ユニットと、を含むＵＴＰケーブルを使用するインターネット網を用いた移動通信サービスシステムが提供されている。【選択図】図３
2010511345.tif 000002
【特許請求の範囲】
【請求項１】
建物内に設けられ、外部インターネット装備からＵＴＰケーブルを介して入力されるインターネット信号を複数の分配ポートに分配提供するスイッチングハブを含む、ＵＴＰケーブルに連結されたインターネット網を用いた移動通信システムにおいて、
前記スイッチングハブの各分配ポートに対応して、ＵＴＰケーブルで連結される複数の入力ポートを有し、外部移動通信基地局に無線連結され、前記スイッチングハブの各分配ポートから転送された個別のインターネット信号と前記移動通信基地局から無線転送された移動通信信号とを相互結合して、前記入力ポートに対応する複数の出力ポートを介して各々の結合信号を転送するメインユニットと;
前記メインユニットの１出力ポートに対応して、ＵＴＰケーブルで連結される単一入力ポートを有し、前記メインユニットの１出力ポートから転送された前記結合信号をインターネット信号と移動通信信号とに各々分離して、前記インターネット信号は、前記単一入力ポートに対応する単一出力ポートを介して、ＰＣ端末機又は複数のＰＣ端末機に連結された補助スイッチングハブに転送し、前記移動通信信号は、外部移動通信端末機に無線転送する複数個の補助ユニットと、
を含むＵＴＰケーブルを使用するインターネット網を用いた移動通信サービスシステム。
【請求項２】
前記スイッチングハブとＰＣ端末機との間、及び、前記移動通信基地局と移動通信端末機との間は、
前記メインユニットと補助ユニットを経由して、両方向通信が行われることを特徴とする請求項１に記載のＵＴＰケーブルを使用するインターネット網を用いた移動通信サービスシステム。
【請求項３】
前記メインユニットは、
前記移動通信基地局から移動通信信号を無線受信し、第１のコンバーターから転送されたアナログ信号を前記移動通信基地局に無線送信する第１のアンテナと;
前記第１のアンテナで受信された前記移動通信信号をアナログ信号からデジタル信号に変換し、第１の信号処理部から転送された移動通信端末機信号をデジタル信号からアナログ信号に変換して、前記第１のアンテナに転送する第１のコンバーターと;
前記第１のコンバーターでデジタル信号に変換された移動通信信号と前記スイッチングハブの各分配ポートから転送された個別のインターネット信号とを相互結合して転送し、前記補助ユニットを経由して転送された移動通信端末機信号とＰＣ端末機信号とを各々分離して、前記移動通信端末機信号は、前記第１のコンバーターに転送し、前記ＰＣ端末機信号は、外部インターネット装備に連結された前記スイッチングハブに転送する第１の信号処理部と、
を含むことを特徴とする請求項２に記載のＵＴＰケーブルを使用するインターネット網を用いた移動通信サービスシステム。
【請求項４】
前記補助ユニットは、
前記メインユニットの第１の信号処理部から転送された前記結合信号をインターネット信号と移動通信信号とに各々分離して転送し、第２のコンバーターから転送されたデジタル信号と前記ＰＣ端末機から転送されたＰＣ端末機信号とを相互結合して、前記第１の信号処理部に転送する第２の信号処理部と;
前記第２の信号処理部で分離された前記移動通信信号をデジタル信号からアナログ信号に変換し、第２のアンテナから転送された移動通信端末機信号をアナログ信号からデジタル信号に変換する第２のコンバーターと;
前記第２のコンバーターによりアナログ信号に変換された移動通信信号を前記移動通信端末機に無線送信し、前記移動通信端末機から転送された移動通信端末機信号を無線受信する第２のアンテナと、
を含むことを特徴とする請求項３に記載のＵＴＰケーブルを使用するインターネット網を用いた移動通信サービスシステム。
【請求項５】
前記メインユニットの１出力ポートと補助ユニットとの間にＵＴＰケーブルで連結され、
前記メインユニットの１出力ポートから転送された前記結合信号をインターネット信号と移動通信信号とに各々分離する拡張信号処理部と;
前記拡張信号処理部で分離された前記インターネット信号を入力され、複数の拡張ポートに分配提供する拡張スイッチングハブを備えた拡張ユニットと、を更に含み、
前記拡張信号処理部は、
前記拡張スイッチングハブの各拡張ポートに対応して、ＵＴＰケーブルで連結される複数の信号入力ポートを有し、前記拡張スイッチングハブの各拡張ポートから転送された個別のインターネット信号と前記拡張信号処理部で分離された移動通信信号とを相互結合して、前記信号入力ポートに対応する複数の信号出力ポートを介して、各々の結合信号を前記各補助ユニットに転送し、
前記スイッチングハブとＰＣ端末機との間、及び、前記移動通信基地局と移動通信端末機との間は、前記メインユニット、拡張ユニット及び補助ユニットを経由して両方向通信が行われることを特徴とする請求項１に記載のＵＴＰケーブルを使用するインターネット網を用いた移動通信サービスシステム。
【発明の詳細な説明】
【技術分野】
【０００１】
本発明は、ＵＴＰケーブルを使用するインターネット網を用いた移動通信サービスシステムに関し、より詳細には、既設されたＵＴＰケーブルインターネット網をそのまま用いながら、インターネットサービスだけでなく、移動通信サービスの提供が可能なＵＴＰケーブルを使用するインターネット網を用いた移動通信サービスシステムに関する。
【背景技術】
【０００２】
一般に、建物内でのインターネットサービスの提供は、図１のように、外部インターネット装備、建物内の中央電算システムなどからＵＴＰケーブルを介して転送されたインターネット信号を、スイッチングハブ１の各分配ポート２を介してＵＴＰケーブルに更に拡張分配して各ユーザ別のＰＣ端末機３に転送することにより、前記建物内に入力されるインターネット信号を複数のユーザが利用可能なようにしている。
【０００３】
図２は、前記スイッチングハブ１が複数個備えられる場合に該当するものであって、図１に比べて、より多くのユーザのインターネットサービスの拡張利用が可能である。
【０００４】
以上のような前記スイッチングハブ１は、建物の各層別１つずつ又は複数個備えられることができ、このようなスイッチングハブ１の設置個数は、建物規模、建物内部の構造、インターネットのユーザ数等に従って、前記提示された形態の他にも、多様な変更例が存在可能なことは、言うまでもない。
【０００５】
上述したような従来のインターネットサービスシステムは、前記スイッチングハブ及びＵＴＰケーブルの持続的な増設を通じて、より多くのユーザのインターネットの利用が可能なようにするものであるが、前記インターネットサービスだけでなく、建物内の各ユーザに移動通信サービスまで提供するためには、上記したＵＴＰケーブルを用いたインターネットシステムの他に、別途に外部基地局から受信された信号を伝達できる光ケーブル又は同軸ケーブルを建物内に設置しなければならない。
【０００６】
ところが、移動通信サービスの提供のために、上記のように建物内の各層毎に光ケーブル又は同軸ケーブルを増設する場合、相当な施工費及び施工時間が必要となり、各種物的資源、時間、人力などが浪費されることはもちろんのこと、光ケーブル又は同軸ケーブルのような各種ケーブルの増設によって、建物内外部の美観を害してしまうという問題点がある。
【発明の概要】
【発明が解決しようとする課題】
【０００７】
本発明は、上述した問題点を解決するために創出されたものであって、別途の光ケーブル又は同軸ケーブルを増設することなく、既設されたＵＴＰケーブルインターネット網をそのまま用いながら、インターネットサービスと移動通信サービスとを同時提供できるＵＴＰケーブルを使用するインターネット網を用いた移動通信サービスシステムを提供することにその目的がある。
【課題を解決するための手段】
【０００８】
前記のような目的を達成するための本発明のＵＴＰケーブルを使用するインターネット網を用いた移動通信サービスシステムは、建物内に設けられ、外部インターネット装備からＵＴＰケーブルを介して入力されるインターネット信号を複数の分配ポートに分配提供するスイッチングハブを含む、ＵＴＰケーブルに連結されたインターネット網を用いた移動通信システムにおいて、前記スイッチングハブの各分配ポートに対応して、ＵＴＰケーブルで連結される複数の入力ポートを有し、外部移動通信基地局に無線連結され、前記スイッチングハブの各分配ポートから転送された個別のインターネット信号と前記移動通信基地局から無線転送された移動通信信号とを相互結合して、前記入力ポートに対応する複数の出力ポートを介して各々の結合信号を転送するメインユニットと;前記メインユニットの１出力ポートに対応して、ＵＴＰケーブルで連結される単一入力ポートを有し、前記メインユニットの１出力ポートから転送された前記結合信号をインターネット信号と移動通信信号とに各々分離して、前記インターネット信号は、前記単一入力ポートに対応する単一出力ポートを介して、ＰＣ端末機又は複数のＰＣ端末機に連結された補助スイッチングハブに転送し、前記移動通信信号は、外部移動通信端末機に無線転送する複数個の補助ユニットを含む。
【０００９】
また、前記スイッチングハブとＰＣ端末機との間、及び、前記移動通信基地局と移動通信端末機との間は、前記メインユニットと補助ユニットを経由して両方向通信を行うことができる。
【００１０】
ここで、前記メインユニットは、前記移動通信基地局から移動通信信号を無線受信し、第１のコンバーターから転送されたアナログ信号を前記移動通信基地局に無線送信する第１のアンテナと;前記第１のアンテナで受信された前記移動通信信号をアナログ信号からデジタル信号に変換し、第１の信号処理部から転送された移動通信端末機信号をデジタル信号からアナログ信号に変換して、前記第１のアンテナに転送する第１のコンバーターと;前記第１のコンバーターでデジタル信号に変換された移動通信信号及び前記スイッチングハブの各分配ポートから転送された個別のインターネット信号を相互結合して転送し、前記補助ユニットを経由して転送された移動通信端末機信号とＰＣ端末機信号とを各々分離して、前記移動通信端末機信号は、前記第１のコンバーターに転送し、前記ＰＣ端末機信号は、外部インターネット装備に連結された前記スイッチングハブに転送する第１の信号処理部と、を含むことができる。
【００１１】
また、前記補助ユニットは、前記メインユニットの第１の信号処理部から転送された前記結合信号を、インターネット信号と移動通信信号とに各々分離して転送し、第２のコンバーターから転送されたデジタル信号と前記ＰＣ端末機から転送されたＰＣ端末機信号とを相互結合して、前記第１の信号処理部に転送する第２の信号処理部と;前記第２の信号処理部で分離された前記移動通信信号をデジタル信号からアナログ信号に変換し、第２のアンテナから転送された移動通信端末機信号をアナログ信号からデジタル信号に変換する第２のコンバーターと;前記第２のコンバーターによりアナログ信号に変換された移動通信信号を前記移動通信端末機に無線送信し、前記移動通信端末機から転送された移動通信端末機信号を無線受信する第２のアンテナと、を含むことができる。
【００１２】
一方、本発明は、前記メインユニットの１出力ポートと補助ユニットとの間にＵＴＰケーブルで連結され、前記メインユニットの１出力ポートから転送された前記結合信号をインターネット信号と移動通信信号とに各々分離する拡張信号処理部と;前記拡張信号処理部で分離された前記インターネット信号を入力され、複数の拡張ポートに分配提供する拡張スイッチングハブを備えた拡張ユニットと、を更に含むことができる。
【００１３】
ここで、前記拡張信号処理部は、前記拡張スイッチングハブの各拡張ポートに対応して、ＵＴＰケーブルで連結される複数の信号入力ポートを有し、前記拡張スイッチングハブの各拡張ポートから転送された個別のインターネット信号と前記拡張信号処理部で分離された移動通信信号とを相互結合して、前記信号入力ポートに対応する複数の信号出力ポートを介して、各々の結合信号を前記各補助ユニットに転送することができる。
【００１４】
この場合、前記スイッチングハブとＰＣ端末機との間、及び、前記移動通信基地局と移動通信端末機との間は、前記メインユニット、拡張ユニット及び補助ユニットを経由して両方向通信を行うことができる。
【発明の効果】
【００１５】
本発明に係るＵＴＰケーブルを使用するインターネット網を用いた移動通信サービスシステムによれば、別途の高価の光ケーブル又は同軸ケーブルを増設する必要なく、既設されたＵＴＰケーブルインターネット網をそのまま用いながら、インターネットサービスと移動通信サービスとが同時提供されることができ、ケーブルの設置費、人力及び時間浪費が節減できることはもちろん、施工が簡便で、設置後にも美観が綺麗であるという長所がある。
【図面の簡単な説明】
【００１６】
【図１】ＵＴＰケーブルを使用してスイッチングハブに連結された一般的なインターネット網の構成図である。
【図２】ＵＴＰケーブルを使用してスイッチングハブに連結された一般的なインターネット網の構成図である。
【図３】本発明の実施形態に係るＵＴＰケーブルを使用するインターネット網を用いた移動通信サービスシステムの構成図である。
【図４】図３に拡張ユニットが備えられた場合のシステム構成図である。
【発明を実施するための形態】
【００１７】
以下、添付の図面を参照して、本発明の望ましい実施形態を詳細に説明することにする。
【００１８】
図１から図２は、ＵＴＰケーブルを使用してスイッチングハブに連結された一般的なインターネット網の構成図、図３は、本発明の実施形態に係るＵＴＰケーブルを使用するインターネット網を用いた移動通信サービスシステムの構成図、図４は、図３に拡張ユニットが備えられた場合のシステム構成図である。
【００１９】
本発明は、建物内に設けられ、外部インターネット装備又は建物内の中央電算システムからＵＴＰケーブルを介して入力されるインターネット信号を複数の分配ポート１１１に分配提供するスイッチングハブ１１０を含む、ＵＴＰケーブルに連結されたインターネット網を用いた移動通信システムに関する。
【００２０】
図示されるように、本発明の実施形態に係るＵＴＰケーブルを使用するインターネット網を用いた移動通信サービスシステム１００は、メインユニット１２０及び補助ユニット１３０を含む。
【００２１】
図３を参考すれば、前記メインユニット１２０は、前記スイッチングハブ１１０の各分配ポート１１１に対応して、ＵＴＰケーブルで連結される複数の入力ポート１２１を有し、外部移動通信基地局１０に無線連結される部分である。
【００２２】
このような前記メインユニット１２０は、前記スイッチングハブ１１０の各分配ポート１１１から転送された個別のインターネット信号と前記移動通信基地局１０から無線転送された移動通信信号とを相互結合して、前記入力ポート１２１に対応する複数の出力ポート１２２を介して各々の結合信号を転送することができる。
【００２３】
一方、前記補助ユニット１３０は、前記メインユニット１２０の１出力ポート１２２に対応して、ＵＴＰケーブルで連結される単一入力ポート１３１を有し、前記メインユニット１２０の１出力ポート１２２から転送された前記結合信号をインターネット信号と移動通信信号とに各々分離して、前記インターネット信号は、ＵＴＰケーブルを用いてＰＣ端末機２０に有線転送し、前記移動通信信号は、移動通信端末機４０に無線転送するようになる。
【００２４】
より詳細には、前記補助ユニット１３０は、前記分離されたインターネット信号を、前記補助ユニット１３０の単一入力ポート１３１に対応する単一出力ポート１３２を介してＰＣ端末機２０又は複数のＰＣ端末機２０に連結された補助スイッチングハブ３０に転送することができ、前記分離された移動通信信号を外部移動通信端末機４０に無線転送することができる。
【００２５】
このような前記補助ユニット１３０は、前記メインユニット１２０の各出力ポート１２２に対応するように複数個備えられることができる。
【００２６】
一方、前記移動通信端末機４０は、前記移動通信信号を無線受信し、処理可能な携帯電話、ＰＤＡ(Personal Digital Assistant)、ノート型パソコンなどであってもよい。
【００２７】
上述したような本発明の前記メインユニット１２０と補助ユニット１３０とによれば、ＰＣ端末機２０側の各ユーザにとって、前記ＵＴＰケーブルインターネット網を用いたインターネットサービスの利用だけでなく、移動通信基地局１０と移動通信端末機４０との間の移動通信サービスの利用が同時に可能なようにする。
【００２８】
すなわち、本発明によれば、外部の基地局から受信された信号を伝達できる移動通信サービス用の高価の光ケーブル又は同軸ケーブルを建物内に別途に増設する必要がなく、ケーブル設置費、人力、時間などの浪費が大きく節減できる。
【００２９】
また、既設されたＵＴＰケーブルインターネット網をそのまま用いながら、前記メインユニット１２０と補助ユニット１３０のみを前記ＵＴＰケーブル網に連設すれば良いので、施工が簡便であるだけでなく、施工時間が節約されることはもちろん、前記光ケーブル又は同軸ケーブルとは異なり、設置後にも美観が綺麗であるという長所がある。
【００３０】
一方、前記スイッチングハブ１１０と前記ＰＣ端末機２０との間、及び、前記移動通信基地局１０と移動通信端末機４０との間は、両方向通信が可能なように構成されることが望ましく、このような両方向通信は、前記メインユニット１２０と補助ユニット１３０とを経由して行える。
【００３１】
前記のような両方向通信を行うために、前記メインユニット１２０は、第１のアンテナ１２３、第１のコンバーター１２４及び第１の信号処理部１２５を含み、前記補助ユニット１３０は、第２のアンテナ１３５、第２のコンバーター１３４及び第２の信号処理部１３３を含むことができる。
【００３２】
まず、前記スイッチングハブ１１０と移動通信基地局１０側から前記ＰＣ端末機２０と移動通信端末機４０側に向かった通信、すなわち、サーバー側からクライアント側方向への通信である場合について説明すれば、以下の通りである。
【００３３】
前記メインユニット１２０の第１のアンテナ１２３は、前記移動通信基地局１０から移動通信信号を無線受信し、前記第１のコンバーター１２４は、前記第１のアンテナ１２３で受信された前記移動通信信号をアナログ信号からデジタル信号に変換する。
【００３４】
前記第１の信号処理部１２５は、前記第１のコンバーター１２４でデジタル信号に変換された移動通信信号と、前記スイッチングハブ１１０の各分配ポート１１１から転送された個別のインターネット信号とを相互結合して、前記補助ユニット１３０に転送することができる。
【００３５】
ここで、前記補助ユニット１３０の第２の信号処理部１３３は、前記メインユニット１２０の第１の信号処理部１２５から転送された前記結合信号をインターネット信号と移動通信信号とに各々分離して、前記インターネット信号は、ＰＣ端末機２０側に転送し、前記移動通信信号は、前記第２のコンバーター１３４側に転送するようになる。このような前記インターネット信号は、上述したように、メインユニット１２０と補助ユニット１３０とを介して転送され、最終的に前記ＰＣ端末機２０で個別処理されることができる。
【００３６】
そして、前記第２のコンバーター１３４は、前記第２の信号処理部１３３で分離された前記移動通信信号を転送され、デジタル信号からアナログ信号に変換するようになり、前記第２のアンテナ１３５は、前記第２のコンバーター１３４によりアナログ信号に変換された移動通信信号を前記移動通信端末機４０に無線送信することができる。このような前記移動通信信号は、前記補助ユニット１３０とメインユニット１２０とを介して転送され、最終的に前記移動通信端末機４０で個別処理されることができる。
【００３７】
次に、上記と反対方向の通信に関するものであって、前記ＰＣ端末機２０と移動通信端末機４０側から前記スイッチングハブ１１０と移動通信基地局１０側に向かった通信、すなわち、クライアント側からサーバー側方向への通信である場合について説明すれば、以下の通りである。
【００３８】
前記第２のアンテナ１３５は、前記移動通信端末機４０から転送された移動通信端末機信号を無線受信し、前記第２のコンバーター１３４は、前記第２のアンテナ１３５から転送された移動通信端末機信号をアナログ信号からデジタル信号に変換するようになる。ここで、前記移動通信端末機信号とは、の移動通信端末機４０側のユーザにより操作された信号などであってもよい。
【００３９】
前記第２の信号処理部１３３は、前記第２のコンバーター１３４から転送された移動通信端末機４０のデジタル信号と前記ＰＣ端末機２０から転送されたＰＣ端末機信号とを相互結合して、前記第１の信号処理部１２５に転送する。このような前記ＰＣ端末機信号は、前記ＰＣ端末機２０側のユーザにより操作された信号などであってもよい。
【００４０】
ここで、前記第１の信号処理部１２５は、前記補助ユニット１３０の第２の信号処理部１３３を経由して転送された前記移動通信端末機信号とＰＣ端末機信号とを各々分離して、前記移動通信端末機信号は、前記第１のコンバーター１２４に転送し、前記ＰＣ端末機信号は、前記スイッチングハブ１１０に転送するようになる。
【００４１】
すなわち、ＰＣ端末機２０側から送られた前記ＰＣ端末機信号は、前記補助ユニット１３０とメインユニット１２０とを介して前記スイッチングハブ１１０を経由して、最終的に外部インターネット装備又は建物内の中央電算システムに転送されて個別処理されることができる。
【００４２】
一方、前記第１のコンバーター１２４は、前記第１の信号処理部１２５から転送された移動通信端末機信号をデジタル信号からアナログ信号に変換して前記第１のアンテナ１２３に転送し、前記第１のアンテナ１２３は、前記第１のコンバーター１２４から転送されたアナログ信号を前記移動通信基地局１０に無線送信するようになる。このような前記移動通信端末機信号は、前記補助ユニット１３０とメインユニット１２０とを介して転送され、最終的に前記移動通信基地局１０で個別処理されることができる。
【００４３】
以上のような本発明のシステム１００は、図４のように、前記メインユニット１２０の１出力ポート１２２と前記補助ユニット１３０の単一入力ポート１３１との間にＵＴＰケーブルで連結され、拡張信号処理部１４１と拡張スイッチングハブ１４４とから構成された拡張ユニット１４０を更に含むことができる。
【００４４】
前記拡張信号処理部１４１は、前記メインユニット１２０の１出力ポート１２２から転送された前記結合信号を補助入力ポート１４６で入力され、インターネット信号と移動通信信号とに各々分離する部分であって、分離されたインターネット信号は、別途の補助出力ポート１４７に出力するようになる。
【００４５】
前記拡張スイッチングハブ１４４は、前記拡張信号処理部１４１で分離されて出力された前記インターネット信号を、ＵＴＰケーブルを介して拡張入力ポート１４８で入力され、複数の拡張ポート１４５に分配提供する部分である。
【００４６】
ここで、前記拡張信号処理部１４１は、前記拡張スイッチングハブ１４４の各拡張ポート１４５に対応して、ＵＴＰケーブルで連結される複数の信号入力ポート１４２を有し、前記拡張スイッチングハブ１４４の各拡張ポート１４５から転送された個別のインターネット信号と前記拡張信号処理部１４１で分離された移動通信信号とを相互結合して、前記信号入力ポート１４２に対応する複数の信号出力ポート１４３を介して、各々の結合信号を前記各補助ユニット１３０に転送することができる。
【００４７】
以上のように、図４に示された前記拡張ユニット１４０は、前記建物が高層又は大型である場合、建物内にユーザが多い場合などのように、図３に比べて、相対的に建物内のインターネットサービス及び移動通信サービスが拡張提供される必要がある場合、別途、すなわち、選択的に更に設置できる部分である。
【００４８】
もちろん、このような前記拡張ユニット１４０が備えられる場合にも、前記スイッチングハブ１１０とＰＣ端末機２０との間、及び、前記移動通信基地局１０と移動通信端末機４０との間に両方向通信が行われることが望ましく、このような両方向通信は、前記メインユニット１２０、拡張ユニット１４０及び補助ユニット１３０を経由して行える。
【００４９】
すなわち、前記ＰＣ端末機２０と移動通信端末機４０側から前記スイッチングハブ１１０と移動通信基地局１０側に向かった通信である場合、前記拡張信号処理部１４１は、前記補助ユニット１３０を経由して転送された移動通信端末機信号とＰＣ端末機信号とを各々分離して前記拡張スイッチングハブ１４４に転送し、前記拡張スイッチングハブ１４４から出力されるＰＣ端末機信号を更に前記分離された移動通信端末機信号と結合して、前記メインユニット１２０に転送することができる。
【００５０】
一方、前記メインユニット１２０と前記補助ユニット１３０との間は、高速のギガバイトイサーネット通信で連結されることができる。
【００５１】
すなわち、総データの転送速度が１Gbpsである環境下で、前記移動通信信号用のデータの転送速度は、５０MHzのサンプリング速度(Sampling Rate)当り１２bitsのデータ転送が可能な場合、６００Mbps(=１２bits×５０MHz)が割り当てられ、インターネット信号用のデータの転送速度は、残り４００Mbps(=１Gbps-６００Mbps)で割り当てられることができる。
【００５２】
もちろん、このような通信速度及びデータの転送速度の割当例は、但し実施形態に過ぎなく、いつでも柔軟に変更できることは言うまでもない。
【符号の説明】
【００５３】
２０  ＰＣ端末機
４０  移動通信端末機
１００  移動通信サービスシステム
１１０  スイッチングハブ
１２０  メインユニット
１３０  補助ユニット
１３１  単一入力ポート
１３２  単一出力ポート。
【図１】
2010511345.tif 000003
【図２】
2010511345.tif 000004
【図３】
2010511345.tif 000005
【図４】
2010511345.tif 000006
【国際調査報告】
2010511345.tif 000007
2010511345.tif 000008